(57)【特許請求の範囲】
【請求項１】
開閉式の筐体と、前記筐体が開操作された状態において画面表示がオンになる表示部とを備え、前記筐体の開操作後から所定の表示オン閾値の時間経過後に画面表示をオンさせると共に、前記筐体の開閉時間の履歴情報を基に、前記表示オン閾値の更新を行う学習機能を備え、
前回筐体が閉操作された後、今回筐体が開操作されるまので経過時間を判定し、該経過時間が所定の学習機能開始閾値以下の時間である場合に、前記学習機能を作動させる
ことを特徴とする携帯端末装置。
【請求項２】
前記筐体における開閉状態の態様変化を検知する筐体開閉検出部と、
前記筐体が前回閉操作されてから今回開操作されるまでの第１の経過時間、今回筐体が開操作された時刻から現在までの時刻である第２の経過時間、今回筐体が開操作された時刻から今回閉操作されるまでの第３の経過時間を計時する開閉状態計時部と、
前記第１の経過時間が前記学習機能開始閾値以下であるか否かを判定する学習機能開始閾値判定部と、
前記第２の経過時間が前記表示オン閾値を超えたか否かを判定する表示オン閾値判定部と、
今回筐体が開操作された際に、前回筐体が閉操作されてからの第１の経過時間が前記学習機能開始閾値を超えている場合は、直ちに画面表示をオンにすると共に、前記第１の経過時間が前記学習機能開始閾値以下である場合は、前記表示オン閾値の時間の経過後に画面表示をオンにする表示制御部と、
筐体が開操作された際に、前記第１の経過時間が前記学習機能開始閾値以下である場合に、前記表示オン閾値を更新するための学習機能を開始するとともに、筐体の開時間が前記表示オン閾値以下の場合における前記第３の経過時間のデータを基に、前記表示オン閾値の値を更新する学習機能部と、
を備えることを特徴とする請求項１に記載の携帯端末装置。
【請求項３】
開閉式の筐体と、前記筐体が開操作された状態において画面表示がオンになる表示部とを備える携帯端末装置における表示制御方法であって、
前記筐体の開操作後から所定の表示オン閾値の時間経過後に画面表示をオンさせると共に、前回筐体が閉操作された後、今回筐体が開操作されるまので経過時間を判定し、該経過時間が所定の学習機能開始閾値以下の時間である場合に、前記筐体の開閉時間の履歴情報を基に、前記表示オン閾値の更新を行う学習機能が行われることを特徴とする携帯端末装置における表示制御方法。
【発明の詳細な説明】
【技術分野】
【０００１】
本発明は、携帯電話機等の携帯端末装置に関し、特に、消費電力の削減を可能にする携帯端末装置に関する。
【背景技術】
【０００２】
近年の携帯電話等の携帯端末装置は、折り畳み型や、スライド、リボルバー型等の開閉可能な構成となっている。例えば、図４に示す携帯電話機は、折り畳み型の例であり、この携帯電話機は、図４（Ａ）に示すように上側（表示部側）の筐体２０ａと下側（操作部側）の筐体２０ｂとがヒンジ部２０ｃを介して展開及び閉鎖可能（開閉可能）に連結されている。そして、使用時にはその２つの筐体２０ａ，２０ｂをヒンジ部２０ｃにより、矢印の方向に展開して（開いて）使用する。また、図４（Ｂ）は、筐体２０ａ，２０ｂを閉鎖した（閉じた）状態を示している。
【０００３】
これらの携帯端末装置では、蓄電池に蓄えられた電力により動作する。このため、携帯端末装置では、消費電力を低減するために、表示部の画面表示をオン・オフさせるための開閉検出機能を備えているものがほとんどである。しかし、この開閉検出機能は、筐体の開操作（開状態）を検出すると画面表示をオンにし、閉操作（閉状態）を検出するとオフにするといった処理に限定されている。
しかしながら、ユーザによっては、手持ち無沙汰あるいは癖などの理由により、意味のない開閉（画面表示を必要としない開閉）を連続で繰り返すといったことも想定され、その場合、その開閉回数に伴って無駄な画面表示により電力消費を繰り返してしまうという問題があった。
【０００４】
なお、関連する携帯端末が特許文献１に開示されている。この携帯端末装置は、電力消費量の増加を抑制しつつ、スムーズな起動を可能とする携帯端末を提供することを目的としている。このために、携帯端末の開閉を検出する開閉検出手段と、ＣＰＵへの電力供給の増減を行う電力供給手段と、時間情報を取得するための時間取得手段と、前記開閉検出手段により前記携帯端末の開閉が検出されたとき、時間取得手段により取得された時間情報に応じて前記電力供給手段が電力供給を増加あるいは減少を開始するように制御する制御手段と、を備える（段落番号００１３、００２２）。
しかしながら、この特許文献１に記載の携帯端末は、携帯端末の開閉状態の時間情報を取得して、ＣＰＵへの電力供給を制御し、携帯端末装置における電力消費量を抑制しようとするものであり、本願発明のように、携帯端末装置の開閉時のタイミング情報（より正確には所定の表示オン閾値より短い開閉時間の履歴情報）の記録を取り、この記録された情報を基に表示オン閾値を更新し、操作時以外の開閉における画面表示を停止させ、消費電力を削減しようとするものではない。
【０００５】
また、関連する情報処理装置及び移動通信端末装置がある（特許文献２を参照）。この特許文献２に記載の情報処理装置及び移動通信端末装置は、上下筐体が開状態に変化した際、所定の遅れ時間を経て、表示装置に表示を行わせる開閉自在の情報処理装置及び移動通信端末装置を提供することを目的とする。このために、移動通信端末装置の制御部は、装置の状態が筐体閉じ制御状態にあって、上下筐体が開けられた際に動作を開始し、装置の状態を筐体開き検出状態とする。そして、装置の動作状況を調べて、その状況に応じた設定値を検索して、その設定値が経過した場合、装置の状態を筐体開き制御状態として表示装置に表示を行わせる制御を行う（段落番号００２５、００５８〜００６０）。
しかしながら、この特許文献２に記載の情報処理装置及び移動通信端末装置では、装置の動作状況（例えば、待ち受け中、音声着信中等）に応じて、設定値を検索して、その設定値が経過した場合、表示装置に表示を行わせる制御を行うものであり、本願発明のように、携帯端末装置の開閉時のタイミング情報（より正確には所定の表示オン閾値より短い開閉時間の履歴情報）の記録を取り、この記録された情報を基に表示オン閾値を更新し、操作時以外の開閉における画面表示を停止させ、消費電力を削減しようとするものではない。
【０００６】
また、関連する携帯情報端末がある（特許文献３を参照）。この特許文献３に記載の携帯情報端末では、使用者のキー入力間隔に基づいて、バックライトの輝度を下げるなどのディスプレイの省電力制御を行うようにして、ユーザの操作性を損なうことなく、適切なタイミングで省電力制御を行うようにしている（段落番号００１６〜００１９）。
しかしながら、この特許文献３に記載の携帯情報端末は、本願発明のように、携帯端末装置の開閉時のタイミング情報（より正確には所定の表示オン閾値より短い開閉時間の履歴情報）の記録を取り、この記録された情報を基に表示オン閾値を更新し、操作時以外の開閉における画面表示を停止させ、消費電力を削減しようとするものではない。
【先行技術文献】
【特許文献】
【０００７】
【特許文献１】特開２００３−２４９８９０号公報
【特許文献２】特開２００７−１０４４１２号公報
【特許文献３】特開２００７−２１４６２８号公報
【発明の概要】
【発明が解決しようとする課題】
【０００８】
上述したように、折り畳み型やスライド型等の携帯電話は、開状態にすると必ず連動してディスプレイの表示がオンになるが、手持ち無沙汰あるいは個人の癖などの理由により、意味のない開閉（画面表示を必要としない開閉）を連続で繰り返す場合に、無駄な表示が繰り返され、その分電力を消費してしまうという問題があった。
【課題を解決するための手段】
【０００９】
上記目的を達成するために、本発明は、開閉式の筐体と、前記筐体が開操作された状態において画面表示がオンになる表示部とを備え、前記筐体の開操作後から所定の表示オン閾値の時間経過後に画面表示をオンさせると共に、前記筐体の開閉時間の履歴情報を基に、前記表示オン閾値の更新を行う学習機能を備え、前回筐体が閉操作された後、今回筐体が開操作されるまので経過時間を判定し、該経過時間が所定の学習機能開始閾値以下の時間である場合に、前記学習機能を作動させることを特徴とする携帯端末装置である。
【００１０】
また本発明は、開閉式の筐体と、前記筐体が開操作された状態において画面表示がオンになる表示部とを備える携帯端末装置における表示制御方法であって、前記筐体の開操作後から所定の表示オン閾値の時間経過後に画面表示をオンさせると共に、前回筐体が閉操作された後、今回筐体が開操作されるまので経過時間を判定し、該経過時間が所定の学習機能開始閾値以下の時間である場合に、前記筐体の開閉時間の履歴情報を基に、前記表示オン閾値の更新を行う学習機能が行われることを特徴とする携帯端末装置における表示制御方法である。
【発明の効果】
【００１１】
本発明の携帯端末装置においては、携帯端末装置の筐体の開閉タイミングの記録を取り、この記録された情報を基に、筐体の開操作後から所定の時間経過後に画面表示をオンさせる表示オン閾値を更新するようにしたので、これにより、ボタン等の操作時以外の開閉における画面表示を停止させることができる。このため、携帯端末装置における消費電力の削減を図ることができる。
【図面の簡単な説明】
【００１２】
【図１】本発明の実施形態に係わる携帯端末装置の構成を示す図である。
【図２】携帯端末装置における学習機能の動作を説明するためのタイミングチャートである
【図３】携帯端末装置における表示処理の流れを示すフローチャートである。
【図４】折り畳み式の携帯電話機の例を示す図である。
【発明を実施するための形態】
【００１３】
図１は、本発明の実施形態に係わる携帯端末装置の構成を示す図である。図１に示す携帯端末装置１は、携帯電話機の例であり、その回路構成の要部を示したものである。図１において、携帯端末装置１は、ＣＰＵ等で構成される主制御部１０を有しており、この主制御部１０は、バスＢＵＳを介して装置内の各部と接続されている。このうちＲＯＭ２は、主制御部１０が実行するための各種制御用プログラムや文字等の固定データが格納されたリード・オン・メモリである。ＲＡＭ３は、ＣＰＵが処理を行う際のワーキングメモリとして使用されるとともに、所定のデータを記憶するメモリとしても使用されるランダム・アクセス・メモリである。また、ＣＰＵ内には、後述する計時処理を行うためのタイマ（またはカウンタ）を内蔵している。なお、ＲＡＭ３は、ＣＰＵ内に内蔵される場合がある。
【００１４】
操作部４は、携帯端末装置本体の下面（例えば、図４に示す筐体２０ｂ）に配置されるキー操作や、タッチパネル等の入力インターフェースによる操作を受け付ける入力部である。表示部５は、携帯端末装置本体の前面（例えば、図４に示す筐体２０ａ）に配置されており、主制御部１０により制御される白黒あるいはカラーの液晶パネルあるいは有機ＥＬ（電子蛍光）等の表示装置である。
【００１５】
筐体開閉検出部６は折り畳み型や、スライド型等の携帯端末装置の開閉を検出する回路であり、この筐体開閉検出部６による開閉検出データを基に、主制御部１０により表示部５が制御される。報知部７は着信などの音を出力する回路である。無線送受信部８は、送受信する無線信号を変復調し、基地局と間で無線通信により信号のやり取りを行う。
【００１６】
また、前述したように主制御部１０はＣＰＵを有しており、このＣＰＵによるプログラム処理により、開閉状態計時部１１、学習機能開始閾値判定部１２、表示オン閾値判定部１３、学習機能部１４、および表示制御部１５の機能が実現される。
【００１７】
開閉状態計時部１１は、携帯端末装置（筐体）が、前回閉操作（閉鎖）されてから今回開操作（展開）されるまでの第１の経過時間（例えば、図２に示す時間Ｔａを参照）を計測し、このデータをＲＡＭ３に保存する。また、開閉状態計時部１１は、今回筐体が開操作された時刻から現在までの時刻である第２の経過時間を計測する。また、開閉状態計時部１１は、今回筐体が開操作された時刻から今回筐体が閉操作されるまでの時刻を第３の経過時間として計時し、この第３の経過時間が表示オン閾値Ｔ０以下である場合に（例えば、図２に示すＴ０，Ｔ２，Ｔ３，Ｔ４を参照）その時間を計時し、このデータをＲＡＭ３に保存する。
【００１８】
学習機能開始閾値判定部１２は、第１の経過時間（例えば、Ｔａ）が学習機能開始閾値以下（例えば、学習機能開始閾値Ｔｇ以下）であるか否かを判定する。また、表示オン閾値判定部は、第２の経過時間（今回筐体が開操作された時刻から現在までの時刻）が表示オン閾値Ｔ０を超えたか否かを判定する。
【００１９】
表示制御部１５は、今回筐体が開操作された場合において、前回筐体が閉操作されてからの第１の経過時間（例えば、Ｔａ）が学習機能開始閾値Ｔｇを超えている場合は（Ｔａ＞Ｔｇ）、直ちに画面表示をオンにする。また、表示制御部１５は、第１の経過時間（例えば、Ｔａ）が学習機能開始閾値Ｔｇ以下である場合は（Ｔａ＜Ｔｇ）、表示オン閾値Ｔ０の時間経過後に画面表示をオンにする。
【００２０】
学習機能部１４は、筐体が開操作された際に、第１の経過時間（例えば、Ｔａ）が学習機能開始閾値Ｔｇ以下である場合に（Ｔａ＜Ｔｇ）、学習機能（表示オン閾値Ｔ０の更新機能）を開始するとともに、当該筐体の開時間が表示オン閾値Ｔ０以下の場合の第３の経過時間（例えば、Ｔ２，Ｔ３，Ｔ４等）のデータを基に、表示オン閾値Ｔ０の値を更新する学習処理を行う。
【００２１】
前述したように、本来、携帯端末装置の筐体の開閉時における画面表示のオン・オフは、開状態を検出した場合は表示オン、閉状態を検出した場合は表示オフといった単純な処理しか行っておらず、表示を必要としないような開閉の場合においても画面を表示させてしまい、無駄な電力を消費していた。例えば、携帯端末装置１を手に持っている時、無意識に何度も連続で開閉を繰り返すような場合においては、その開閉の回数だけ消費電力が増えてしまっていた。
【００２２】
本実施形態の携帯端末装置１においては、開閉操作の学習機能を有し、この学習機能では、その開閉の時間をログ（記録情報）として残し、携帯端末装置１を開状態とした後の表示部５をオンするまでの時間（表示オン閾値Ｔ０）を、そのログから計算し学習させることで、無駄な表示を減らすことを可能にしている。
【００２３】
図２は、この学習機能の動作を説明するためのタイミングチャートである。図２に示すタイミングチャートでは、横方向に時間を取り、縦方向に、表示部（画面）のオン・オフ状態と、筐体の開閉状態（開閉タイミング）と、を並べて示したものである。
【００２４】
図２を参照して、時刻ｔ０において、筐体開閉検出部６により開状態（開操作）が検出される。その後すぐに操作部４により何らかの操作が行われた場合は、表示部５の画面をオンにする。また、筐体開閉検出部６により開状態が検出され後、操作部４による操作が行われない場合は、予め設定された表示オン閾値Ｔ０以上の時間を経過した時点（時刻ｔ０´）で、表示部５の画面をオンにする。
【００２５】
その後、時刻ｔ１において筐体の閉状態が検出され、さらその後、時刻ｔ２において、再び開状態が検出されると、前回表示がオフ状態（筐体が閉状態）にされてからの時間Ｔａ（時刻ｔ１〜ｔ２）を参照し、前回表示がオフされてからある時間（学習機能開始閾値Ｔｇ）を経過していない場合は（Ｔａ＜Ｔｇ）、表示オン閾値Ｔ０についての学習機能を開始する。
【００２６】
そして、時刻ｔ２〜ｔ２´の間の筐体の開時間Ｔ２は表示オン閾値Ｔ０よりも短いため（Ｔ２＜Ｔ０）、この開動作においては、表示部５の画面表示はオフとなる。
また、時刻ｔ２´において、筐体が閉状態となった後、時刻ｔ３において、筐体開閉検出部６により開状態が検出された場合は、時刻ｔ３〜ｔ３´の間の筐体の開時間Ｔ３は表示オン閾値Ｔ０よりも短いため（Ｔ３＜Ｔ０）、この開動作においても、画面表示はオフとなる。
同様にして、時刻ｔ３´において、筐体が閉状態となった後に、時刻ｔ４において、筐体開閉検出部６により開状態が検出された場合においても、時刻ｔ４〜ｔ４´の間の携帯端末装置の開時間Ｔ４は表示オン閾値Ｔ０よりも短いため（Ｔ４＜Ｔ０）、この開動作においても、画面表示はオフとなる。
【００２７】
このように、携帯端末装置の筐体の開閉時間が表示オン閾値Ｔ０以下の場合は（開時間Ｔ２，Ｔ３，Ｔ４の場合）は、その度に時間Ｔ２，Ｔ３，Ｔ４をＲＡＭ３に記録し、画面表示をさせない。記録された開閉時間Ｔ２，Ｔ３，Ｔ４については、記録される度に主制御部１０により表示オン閾値Ｔ０を更新するための学習データ（更新データ）として処理される。
【００２８】
なお、筐体開閉検出部６における開閉検出機能についてはとくに種類は限定されず、また、表示オン閾値Ｔ０の計算方法についても、開閉時間の平均を取ることなどが想定されるが任意である。また、この表示オン閾値Ｔ０の学習機能は、携帯端末装置１を開くたびに毎回実行されるようにすると、画面表示が必要な際に逆に不便になってしまう恐れもあるので、1回目の開状態検出では通常通り表示し、２回目の開状態を検出するまでの時間にある程度の学習機能開始閾値Ｔｇを設定しておくこともできる。そして、その学習機能開始閾値Ｔｇよりも短い時間で２回目の開状態が検出された場合は表示が不要とみなし、学習機能を実行させることで利便性を保つようにすることができる。
また、２回目の開状態の検出までの学習機能開始閾値Ｔｇについても、表示オン閾値Ｔ０と同様の学習機能をもたせても構わない。また、この学習機能はユーザ設定としてオン・オフ可能にしてもよい。
【００２９】
図３は、携帯端末装置１における表示処理の流れを示すフローチャートであり、筐体の開閉による省電機能をオン（有効）にした場合において、筐体の開閉を行った際の処理をフローチャートで示したものである。なお、図３示すフローチャートにおいては、携帯端末装置１の筐体が閉じられた状態から開始することを想定している（ステップＳ１）。
【００３０】
図１を参照して、まず、利用者が携帯端末装置１の筐体を開状態にした場合、筐体開閉検出部６によって、主制御部１０に「携帯端末装置（筐体）が開」の情報が送られる（ステップＳ２）。
続いて、ステップＳ３に移行し、学習機能開始閾値判定部１２により、学習機能開始の条件を満たしたか否かを判定する。この判定処理においては、学習機能を開始させるかどうかを判断するため、前回表示がオフされてからの時間Ｔａを参照し、前回表示がオフされてからある時間（学習機能開始閾値Ｔｇ）以上経過（Ｔａ＞Ｔｇ）していた場合は（ステップＳ３：Ｎｏ）、表示部５を使用することを想定して画面表示を行う（ステップＳ１０）。
【００３１】
一方、ステップＳ３において、学習機能開始の条件を満たすと判定された場合、すなわち、前回表示がオフされてからの時間Ｔａが、学習機能開始閾値Ｔｇよりも短い場合（Ｔａ＜Ｔｇ）は（ステップＳ３：Ｙｅｓ）、表示部５を使用しない開閉だと判定し、学習機能を開始する（ステップＳ４）。なお、学習機能開始閾値Ｔｇの時間は予め設定しておくが、この学習機能開始閾値Ｔｇの時間は、前回表示がオフされてから次に主制御部１０が「携帯端末装置（筐体）が開」の情報を筐体開閉検出部６から受信するまでの時間を用いて、例えば連続する開閉時の当該時間の平均値を随時計算して設定するようにしても構わない。
【００３２】
学習機能が開始された場合（ステップＳ４）、ステップＳ５の処理へ移行する。携帯端末装置１には、ステップＳ３における前回表示がオフになってからの時間を判定する学習機能開始閾値Ｔｇとは別に、筐体の開状態が検出されてから画面表示をオン（ステップＳ１０）させるまでの時間（表示オン閾値Ｔ０）を設定しておき、表示オン閾値判定部１３により、筐体の開状態が表示オン閾値Ｔ０に達したか否かを判定する。（ステップＳ５）。
【００３３】
その表示オン閾値Ｔ０に達する前に操作部４によって何らかの操作が行われた場合（ステップＳ６：Ｙｅｓ）、すぐに画面表示をオンにして（ステップＳ１０)、この処理を終了させる。
また、表示オン閾値Ｔ０に達する前にボタン操作等が一切行われない場合は（ステップＳ６：Ｎｏ）、ステップＳ７に移行し、筐体開閉検出部６により、筐体の閉状態（閉操作）を検出したか否かを判定する（ステップＳ７）。
ステップＳ７の判定処理において、筐体の閉状態（閉操作）を検出したと判定された場合は（ステップＳ７：Ｙｅｓ）、ステップＳ８に移行する。それ以外の場合は、ステップＳ５に戻る。
ステップＳ７の判定処理において、筐体の閉状態（閉操作）を検出したと判定された場合は（ステップＳ７：Ｙｅｓ）、ステップＳ８に移行し、開閉状態計時部１１により、筐体の開操作から閉操作までの時間をＲＡＭ３に記録する（ステップＳ８）。例えば、図２に示す時間Ｔ２，Ｔ３，Ｔ４を記録する。
【００３４】
そして、このＲＡＭ３に記録したデータを基に、表示オン閾値Ｔ０を計算し更新する（ステップＳ９）。例えば、図２に示す場合は、(Ｔ２+Ｔ３+Ｔ４)÷３といった計算により移動平均値を計算して２倍する値を表示オン閾値Ｔ０として設定し、値が変わるごとに再計算させるように定義する。その後、ステップＳ２に戻り、上述した処理を繰り返す。
【００３５】
上述した処理が繰り返されることにより、今まで全ての筐体の開状態で画面表示をオンさせていたものについて、単なる開閉という操作での画面表示をなくすことで、無駄な消費電流の削減を図ることができる。
【００３６】
なお、上述した実施形態の説明では、携帯端末装置としての携帯電話機の例について説明したが、本発明の携帯端末装置はこれに限定されない。例えば、ＰＨＳ（Personal Handy-phone System）、ＰＤＡ（Personal Data Assistance，Personal Digital Assistants：個人向け携帯型情報通信機器）等の携帯端末装置であり、筐体の開閉検出を有し、それと連動して表示部が制御される装置であればよい。すなわち、開閉検出機能と表示画面、それを制御する制御部を有している装置であれば、本発明を適用することにより、無駄な開閉操作が行われる場合においても電力の消費を低減させることが出来る。
【００３７】
なお、ここで本発明と実施形態との対応関係について補足して説明しておく。本発明における携帯端末装置は携帯端末装置１が対応し、筐体は、筐体ａ，ｂ（図４）が相当する。また、本発明における表示部は、表示部５が対応し、筐体開閉検出部は、筐体開閉検出部６が対応し、開閉状態計時部は、開閉状態計時部１１が対応する。また、本発明における学習機能開始閾値判定部は、学習機能開始閾値判定部１２が対応し、表示オン閾値判定部は、表示オン閾値判定部１３が対応する。また、本発明における学習機能部は、学習機能部１４が対応し、表示制御部は、表示制御部１５が対応する。また、本発明における第１の経過時間は、例えば、図２に示す時間Ｔａが対応し、本発明における第３の経過時間は、例えば、図２に示す時間Ｔ２，Ｔ３，Ｔ４が対応する。また、本発明における学習機能開始閾値は、学習機能開始閾値Ｔｇが対応し、表示オン閾値は、表示オン閾値Ｔ０が対応する。
【００３８】
そして、上記実施形態において、携帯端末装置１は、開閉式の筐体２０ａ，２０ｂと、筐体２０ａ，２０ｂが開操作された状態において画面表示がオンになる表示部５とを備え、筐体２０ａ，２０ｂの開操作後から所定の表示オン閾値Ｔ０の時間経過後に画面表示をオンさせると共に、筐体２０ａ，２０ｂの開閉時間の履歴情報を基に、表示オン閾値Ｔ０の更新を行う学習機能を備える。
【００３９】
また、上記実施形態において、携帯端末装置１は、筐体２０ａ，２０ｂにおける開閉状態の態様変化を検知する筐体開閉検出部６と、筐体２０ａ，２０ｂが前回閉操作されてから今回開操作されるまでの第１の経過時間Ｔａ、今回筐体２０ａ，２０ｂが開操作された時刻から現在までの時刻である第２の経過時間、今回筐体２０ａ，２０ｂが開操作された時刻から今回閉操作されるまでの第３の経過時間（例えば、Ｔ２，Ｔ３，Ｔ４）を計時する開閉状態計時部１１と、第１の経過時間Ｔａが学習機能開始閾値Ｔｇ以下であるか否かを判定する学習機能開始閾値判定部１２と、第２の経過時間が表示オン閾値Ｔ０を超えたか否かを判定する表示オン閾値判定部１３と、今回筐体２０ａ，２０ｂが開操作された際に、前回筐体が閉操作されてからの第１の経過時間Ｔａが学習機能開始閾値Ｔｇを超えている場合は、直ちに画面表示をオンにすると共に、第１の経過時間Ｔａが学習機能開始閾値Ｔｇ以下である場合は、表示オン閾値Ｔ０の時間の経過後に画面表示をオンにする表示制御部１５と、筐体２０ａ，２０ｂが開操作された際に、第１の経過時間Ｔａが学習機能開始閾値Ｔｇ以下である場合に、表示オン閾値Ｔ０を更新するための学習機能を開始するとともに、筐体２０ａ，２０ｂの開時間が表示オン閾値Ｔ０以下の場合における第３の経過時間（例えば、Ｔ２，Ｔ３，Ｔ４）のデータを基に、表示オン閾値Ｔ０の値を更新する学習機能部１４と、を有して構成される。
【００４０】
これにより、携帯端末装置１の筐体２０ａ，２０ｂの開閉時における開閉のタイミングの記録を取り、この記録された情報を基に、ボタン等の操作時以外の開閉における画面表示を停止させることができる。このため、携帯端末装置１における消費電力の削減を図ることができる。
【００４１】
以上、本発明の実施の形態について説明したが、本発明の携帯端末装置は、上述の図示例にのみ限定されるものではなく、本発明の要旨を逸脱しない範囲内において種々変更を加え得ることは勿論である。
【符号の説明】
【００４２】
１・・・携帯端末装置、２・・・ＲＯＭ、３・・・ＲＡＭ、４・・・操作部、５・・・表示部、６・・・筐体開閉検出部、７・・・報知部、８・・・無線送受信部、１０・・・主制御部、１１・・・開閉状態計時部、１２・・・学習機能開始閾値判定部、１３・・・表示オン閾値判定部、１４・・・学習機能部、１５・・・表示制御部、２０ａ，２０ｂ・・・筐体
【図１】
0005446999.tif 000002
【図２】
0005446999.tif 000003
【図３】
0005446999.tif 000004
【図４】
0005446999.tif 000005